(57)【特許請求の範囲】
【請求項１】
リントを含む洗濯液の中からリントを除去する装置において、
洗濯液の供給管（２）の管壁に開口（２ａ）が設けられ、
該供給管（２）に対して円筒スクリーン（３）が、上記開口（２ａ）を覆って同心に、かつ回転可能に外嵌されるとともに、この円筒スクリーン（３）を回転駆動する手段が設けられていて、
前記の開口（２ａ）は、円筒スクリーン（３）の内周面に対向して、その軸心方向に細長い形状をなし、該円筒スクリーンの全長に亙って穿たれていて、円筒スクリーン（３）の長さ方向の流量分布を均一ならしめており、
かつ、前記供給管の開口（２ａ）付近に案内翼（６）が取り付けられるとともに、
上記案内翼の先端が前記円筒スクリーンの内周面に近接して対向しており、
前記円筒スクリーン（３）を収納するスクリーンケース（４）が設けられていて、このスクリーンケースに対して洗濯液の回収管（５）が接続連通されていることを特徴とする、連続洗濯機のリント除去・自動排出装置。
【請求項２】
洗濯液の中からリントを除去する方法において、
スクリーンケース（４）を貫通する供給管（２）によって送られてきた液を、管壁に設けられている開口（２ａ）から流出せしめ、
該供給管（２）に外嵌されて、前記スクリーンケース内に収納されている円筒スクリーン（３）内に前記の液を導いて、該円筒スクリーンの側壁（３ａ）を透過させることによりリントを濾別し、
前記の供給管（２）を中心軸として上記円筒スクリーン（３）を回転させ、
該円筒スクリーン（３）の内周面に堆積したリントを、供給管（２）に固着した案内翼（６）に導かれた液流によって自動的に剥がし取り、
前記円筒スクリーン（３）を、予め傾斜させて配設しておき、案内翼（６）に導かれた液流によって剥がし取ったリントを傾斜の下方に移動させながらリント玉にして、
円筒スクリーンの斜め下方の端に設けられているリント排出口（３ｃ）から落下させ、
前記スクリーンケース（４）内に溜めておき、
適時、該スクリーンケースの覗き窓を開いて取り出すことを特徴とする、連続洗濯機のリント除去・自動排出方法。
【発明の詳細な説明】
【技術分野】
【０００１】
本発明は、連続洗濯機の洗濯液中に含まれているリントを容易に、かつ自動的に除去する技術に関するものである。
ただし本発明において洗濯液とは、予洗水やすすぎ液を含めて、洗濯に用いられる液体を総称する意である。
【背景技術】
【０００２】
連続洗濯機は一般に、繊維製品である被洗濯物を洗濯液の中で撹拌するので、洗濯作業の進行に伴って、洗濯液中にリント（糸くず）が混入する。
従来、このリントを除去する技術は種々工夫されてきたが、要するにスクリーン（フィルタ）で濾過するものである。
従来技術におけるスクリーンは静止部材であって、リントを含む液が該スクリーンを透過する際、リントを濾別除去されるようになっている。
【０００３】
例えば特開平１０−０３３８８２号公報には、開口部を斜め上方に向けて設置するというリント捕集装置が提案されている。
また、特開平９−２９９６８５号公報には、洗濯物との干渉を避けてフィルタを設置する技術が提案されている。
さらに、特開平７−０８８３０９号公報には、フィルタ布の織りかたを工夫した改良マーキゼット編みが提案されている。
【特許文献１】特開平１０−０３３８８２号公報
【特許文献２】特開平０９−２９９６８５号公報
【特許文献３】特開平０７−０８８３０９号公報
【発明の開示】
【発明が解決しようとする課題】
【０００４】
従来リントの除去については、如何にして効率よくリントを濾別するか種々の工夫が為されているが、洗濯作業の進行に伴い、濾別されたリントがスクリーンに堆積して流通抵抗が増加してゆく。
スクリーンに堆積したリントの除去は専ら手作業に頼っていた。このため多大の時間と労力とを費やしていた。
【０００５】
本発明は以上に述べた事情に鑑みて為されたものであって、その目的とするところは、スクリーン面に堆積したリントを自動的に除去し得る新規な技術を提供するにある。
これにより当然に、洗濯作業の自動化やメンテナンスの省人化に貢献することが期待される。
【課題を解決するための手段】
【０００６】
請求項１に係る発明装置の構成は、
（図１参照）リントを含む洗濯液の中からリントを除去する装置において、
洗濯液の供給管２の管壁に開口２ａが設けられ、
該供給管２に対して円筒スクリーン３が、上記開口２ａを覆って同心に、かつ回転可能に外嵌されるとともに、この円筒スクリーン３を回転駆動する手段が設けられていて、
前記の開口２ａは、円筒スクリーン３の内周面に対向して、その軸心方向に細長い形状をなし、該円筒スクリーンの全長に亙って穿たれていて、円筒スクリーン３の長さ方向の流量分布を均一ならしめており、
かつ、前記供給管の開口２ａ付近に案内翼６が取り付けられるとともに、
上記案内翼の先端が前記円筒スクリーンの内周面に近接して対向しており、
前記円筒スクリーン３を収納するスクリーンケース４が設けられていて、このスクリーンケースに対して洗濯液の回収管５が接続連通されていることを特徴とする。
【００１３】
請求項２に係る発明方法の構成は、
（図１参照）洗濯液の中からリントを除去する方法において、
スクリーンケース４を貫通する供給管２によって送られてきた液を、管壁に設けられている開口２ａから流出せしめ、
該供給管２に外嵌されて、前記スクリーンケース内に収納されている円筒スクリーン３内に前記の液を導いて、該円筒スクリーンの側壁３ａを透過させることによりリントを濾別し、
前記の供給管２を中心軸として上記円筒スクリーン３を回転させ、
該円筒スクリーン３の内周面に堆積したリントを、供給管２に固着した案内翼６に導かれた液流によって自動的に剥がし取り、
前記円筒スクリーン３を、予め傾斜させて配設しておき、案内翼６に導かれた液流によって剥がし取ったリントを傾斜の下方に移動させながらリント玉にして、
円筒スクリーンの斜め下方の端に設けられているリント排出口３ｃから落下させ、
前記スクリーンケース４内に溜めておき、
適時、該スクリーンケースの覗き窓を開いて取り出すことを特徴とする。
【発明の効果】
【００１５】
請求項１の発明装置を適用すると、円筒スクリーンが軸心周り回転し、かつ、該円筒スクリーンの内周面に近接対向して案内翼が設けられているので、円筒スクリーンが回転すると「円筒スクリーンの内周面に堆積していたリント」が「案内翼６で導かれた液流」によって自動的に剥がし落とされる。 
特に、円筒状スクリーンのフィルタ面である内周面に対して、リントを含む洗濯液が均一に、かつ有効に吹き付けられる。
ここに、前記円筒スクリーンは軸心周りに回転する。このため、円周方向に関しては回転効果によって「洗濯液の均一な吹き付け作用」が得られる。従って、本請求項１において着目したのは円筒スクリーンの長さ方向の均一かつ有効な吹き付けである。
本請求項１の構成に係る「スクリーン３の中心線方向に細長く、円筒スクリーンと等しい長さの開口」は、円筒スクリーンの長さ方向の均一かつ有効な吹き付けを可能ならしめた。
【００２２】
請求項２の発明方法を適用すると、洗濯液に含まれているリントが円筒スクリーンによって濾別され、
かつ、該円筒スクリーンを回転させることにより、堆積したリントを案内翼に導かれた液流で剥がし取ることができる。
特に、除去されたリントが自動的にリント玉になり、円筒スクリーンから排出されて、
スクリーンケースの中に溜まるので、適時に点検窓を開いて取り出すことができる。
【発明を実施するための最良の形態】
【００２４】
図１は本発明に係るリント除去装置の１実施形態を示し、１部を破断して描いた模式的な外観斜視図である。ただし、模式化してあるので、写実的な投影図ではない。
リントを含んだ洗濯液は、供給管２によって送られてくる。
送られてきた洗濯液は開口２ａから流出する。ただし、適正な開口面積を有していて、吹き出し流速は制御されている。 
上記の開口２ａを覆って、円筒スクリーン３が外嵌されている。前記の開口２ａは、該円筒スクリーン３内において、その全長に亙って穿たれ、円筒スクリーン３の内周面に対して、長さ方向の流量分布を均一ならしめている。
【００２５】
本例の円筒スクリーン３は、前記の供給管２を中心軸として、回転自在に支持されていて、回転駆動ローラ７ａ、同７ｂによって回転駆動されている（回転方向については、図２を参照して後に詳しく説明する）。
上記の円筒スクリーン３は、円筒状の側壁３ａと、その両端に位置する蓋板３ｂ、及びリント排出口３ｃとを備えている。
【００２６】
前述の回転部材である円筒スクリーン３と回転駆動ローラ７ａ，７ｂとを取り囲んで、スクリーンケース４が設けられている。
このスクリーンケース４の中で、前記の開口２ａから洗濯液が流出するので、該スクリーンケース４は水密に構成されている。図示を省略してあるが、このスクリーンケースにはメンテイナンス用の覗き窓が設けられている。
前記の供給管２は、このスクリーンケース４を貫通しているが、双方の部材は回転しないので、水密構造とすることに別段の困難は無い。
【００２７】
前記円筒スクリーン３の側壁３ａは、多孔板もしくはウエッジワイヤ、または、これらに類似するフィルタ材で構成されている。
前記の開口２ａから流出した洗濯液は側壁３ａを透過してスクリーンケース４内に入り、回収管５から洗濯槽（図外）へ還流する。
洗濯液が側壁３ａを透過する際、含まれていたリントは濾別されて、円筒スクリーン３の側壁３ａに付着し、リントを除去された清浄な洗濯液が還流してゆく。
【００２８】
前記供給管２に、案内翼６が固着されている。この案内翼は、前記の開口２ａに沿って配置されていて、スクリーンケース４の内部に位置している。
該案内翼６の先端部は円筒スクリーンの側壁３ａに近接して対向している。
円筒スクリーンの側壁３ａで濾別されたリントは、該側壁３ａの内周面に付着する。
前記の開口２ａから流出した洗濯液は、案内翼６に導かれて円筒スクリーンの側壁３ａに吹き付けられ、該側壁に付着しているリントを剥がし取る。
この円筒スクリーン３が回転するので、側壁３ａに付着したリントは円周方向に均等に除去され、剥がしムラを生じない。  
【００２９】
前記円筒スクリーン３の中心線が水平ではなく、リント排出口３ｃが下がる方向に傾斜している。
このため、案内翼６に導かれた液流で剥がし取られたリントは比重差によって下降し、リント玉１０となってリント排出口部３ｃから排出される。
リント排出口部３ｃからスクリーンケース４内に排出されたリント（リント玉１０）は洗濯操作に別段の影響を及ぼさないので、そのまま洗濯作業を続行することができる。
スクリーンケース４内に溜まったリント玉１０は、定期点検整備の際に、スクリーンケース４の覗き窓を開いて取り捨てればよい。
フィルタ面に堆積しているリントを清掃除去する作業は熟練と労力とを要するが、スクリーンケース４内に溜まったリント（リント玉１０）は別段の熟練を要せず、迅速，容易に取り捨てることができる。
【００３０】
図２（Ａ）は、前掲の図１に示した供給管２および円筒スクリーン３の横断面図である。上記の供給管２と円筒スクリーン３とは同心に配置されている。点Ｏは中心点である。
上記の点Ｏを原点とする極座標を想定する。
原点Ｏを通る仮想の垂直面による断面をＯ−０°とし、これを極座標の原線とする。この線は、中心点Ｏから上方に向かう半径である。
【００３１】
本例においては、円筒スクリーンの側壁３ａが矢印ａのように反時計方向に回転している。矢印ｂは回転の反対方向である。
上記の矢印ｂ方向に極座標の角度をとる。すなわち、図示のように０度−９０度−１８０度−２７０度…と回って原線（０度）に帰る。
図１を参照して先に述べた開口２ａは、極座標の角度範囲０度〜１８０度の間に位置している。
円筒スクリーン３の回転方向が反転して、反時計方向である場合は、極座標角度が反転する。反転した極座標角度について、やはり角度範囲０度〜１８０度の間に位置せしめて開口２ａを設ける。
【００３２】
本例の案内翼６は、本図２（Ａ）に実戦で描かれたように、側壁３ａに向けて凸なる形状に反っていて、その回転半径はＲである。これと異なる実施形態として、符号８を付して示したストレート案内翼（仮想線で描く）を設けてもよい。
これらの案内翼６またはストレート案内翼８を配設する箇所は、前述の極座標について角度範囲０度〜１８０度が望ましい。
この案内翼の役目は、洗濯液を導いてリントを剥がし取ることとである。こうした目的を果たすよう、案内翼の先端は側壁３ａに接近させる。しかし、摩擦抵抗を生じないように、接触させないことが望ましい。
【００３３】
図２（Ｂ）は上記と異なる実施形態を示す。本例は、円筒スクリーンの側壁３ａに向けて凹なる形に湾曲した逆反り形案内翼９が設けられている。その配設箇所は前例（図２（Ａ））と同様である。
【図面の簡単な説明】
【００３４】
【図１】本発明装置の１実施形態を示し、部分的に破断して模式的に描いた外観斜視図
【図２】（Ａ）に実線で描いたのは前掲の図１の実施形態に係る供給管と円筒スクリーンと案内翼とを模式的に描いた横断面に極座標を付記した図、（Ｂ）は上記と異なる実施形態の横断面に極座標を付記した図
【符号の説明】
【００３５】
２…供給管
２ａ…開口
３…円筒スクリーン
３ａ…側壁
３ｂ…蓋板
３ｃ…リント排出口
４…スクリーンケース
５…回収管 
６…案内翼 
７ａ，７ｂ…回転駆動ローラ 
８…ストレート案内翼 
９…逆反り形案内翼 
【図１】
0004391967.tif 000002
【図２】
0004391967.tif 000003